(57)【要約】本開示のいくつかの態様は、一時的中断の後のロングタームエボリューション（ＬＴＥ）の再開の後のチャネル品質インジケータ（ＣＱＩ）報告のための方法および装置に関する。いくつかの態様では、例えば、異なる無線アクセス技術をサービスするためのＬＴＥチューンアウェイの後の再開時にＬＴＥへのパフォーマンスペナルティを最小限に抑えるために、ＬＴＥに再同調した後にＬＴＥ  ＣＱＩ計算／更新をどのように実行するかを決定するための１つまたは複数の追加のパラメータに加えて、ＬＴＥチューンアウェイの前から入手可能な情報が使用され得る。いくつかの態様では、ユーザ機器（ＵＥ）が、ＬＴＥチューンアウェイの前のチャネル状態に基づいてＣＱＩを報告するのか、またはＬＴＥに再同調した後のチャネル状態に基づいてＣＱＩを報告するのかに関する決定は、ドップラー推定値の値、ＬＴＥチューンアウェイの持続時間、またはそれらの組合せに基づき得る。【選択図】図１０
2015516760.tif 000002
【特許請求の範囲】
【請求項１】
ユーザ機器（ＵＥ）によって実行されるワイヤレス通信の方法であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を備える、方法。
【請求項２】
前記決定することは、
前記通信を中断する前からの前記ドップラー推定値と前記第１のＲＡＴの中断の持続時間とに基づいて、前記第１のＲＡＴの前記中断の前の前記チャネル状態に基づいて前記ＣＱＩを報告すべきか、または前記第１のＲＡＴにおける前記通信を再開した後の前記チャネル状態に基づいて前記ＣＱＩを報告すべきかを決定すること、
を備える、請求項１に記載の方法。
【請求項３】
前記第１のＲＡＴの前記中断の前の前記チャネル状態に基づいて前記ＣＱＩを報告することをさらに備える、請求項１に記載の方法。
【請求項４】
前記第１のＲＡＴの前記中断の前の前記チャネル状態に基づいて前記ＣＱＩを報告することは、前記第１のＲＡＴにおける前記通信を中断する前の時間期間にわたって平均化された前記ＣＱＩを決定することを備える、請求項３に記載の方法。
【請求項５】
前記第１のＲＡＴにおける前記通信を再開した後の前記チャネル状態に基づいて前記ＣＱＩを報告することをさらに備える、請求項１に記載の方法。
【請求項６】
前記第１のＲＡＴにおける前記通信を再開した後の前記チャネル状態に基づいて前記ＣＱＩを報告することは、前記第１のＲＡＴにおける前記通信を再開した後の実質的に瞬間の時点における前記ＣＱＩを決定することを備える、請求項５に記載の方法。
【請求項７】
前記第１のＲＡＴにおける前記通信を再開した後の前記チャネル状態に基づいて前記ＣＱＩを報告することは、通信を中断するより前のＣＱＩ平均を決定するために使用された時間期間とは異なる時間期間にわたって平均化された前記ＣＱＩを決定することを備える、請求項５に記載の方法。
【請求項８】
前記ドップラー推定値の値、中断の持続時間の値、またはそれらの組合せに基づいて前記ＣＱＩを報告することをさらに備える、請求項１に記載の方法。
【請求項９】
前記ドップラー推定値の値および中断の前記持続時間の前記値は、前記第１のＲＡＴの中断の前記持続時間、前記ＵＥが前記ＣＱＩを報告した後にリソーススケジューリング情報を受信するのにかかる時間、またはそれらの組合せに少なくとも基づいて設定される、請求項８に記載の方法。
【請求項１０】
前記ドップラー推定値に基づいて前記決定することは、前記ドップラー推定値を前記ドップラー推定値についての下限しきい値（ＴＨDoppler_LOW）または前記ドップラー推定値についての上限しきい値（ＴＨDoppler_HIGH）のうちの少なくとも１つと比較することを備える、請求項１に記載の方法。
【請求項１１】
前記第１のＲＡＴにおける前記通信を再開した後の前記チャネル状態に基づいて前記ＣＱＩを報告することをさらに備える、請求項１０に記載の方法。
【請求項１２】
前記第１のＲＡＴにおける前記通信を再開した後の前記チャネル状態に基づいて前記ＣＱＩを報告することは、前記ドップラー推定値の前記値が（ＴＨDoppler_LOW）よりも小さい場合、前記第１のＲＡＴにおける前記通信を再開した後のＣＱＩフィルタ状態を、通信を中断する前に使用された前記ＣＱＩフィルタ状態とは異なるように更新することを備える、請求項１１に記載の方法。
【請求項１３】
前記ＣＱＩフィルタ状態を更新することは、前記第１のＲＡＴにおける前記通信を再開した後の実質的に瞬間の時点におけるＣＱＩを決定すること、または通信を中断するより前のＣＱＩ平均を決定するために使用された時間期間とは異なる時間期間にわたって平均化されたＣＱＩを決定することを備える、請求項１２に記載の方法。
【請求項１４】
ドップラー推定値に基づいて決定することは、前記ドップラー推定値を、前記ドップラー推定値についての下限しきい値（ＴＨDoppler_LOW）または前記ドップラー推定値についての上限しきい値（ＴＨDoppler_HIGH）のうちの少なくとも１つと比較することを備える、請求項２に記載の方法。
【請求項１５】
前記決定することは、前記第１のＲＡＴの中断の前記持続時間の前記値を前記中断時間についての１つまたは複数のしきい値と比較することをさらに備える、請求項１４に記載の方法。
【請求項１６】
前記第１のＲＡＴの中断の前記持続時間の前記値を前記中断時間についての１つまたは複数のしきい値と比較することは、前記第１のＲＡＴの中断の前記持続時間の前記値を、前記中断時間についての下限しきい値（ＴｈST_LOW）、前記中断時間についての中間しきい値（ＴｈST_MID）または前記中断時間についての上限しきい値（ＴｈST_HIGH）のうちの少なくとも１つと比較することを備える、請求項１５に記載の方法。
【請求項１７】
前記第１のＲＡＴにおける前記通信を再開した後の前記チャネル状態に基づいて前記ＣＱＩを報告することをさらに備える、請求項１５に記載の方法。
【請求項１８】
前記第１のＲＡＴにおける前記通信を再開した後の前記チャネル状態に基づいて前記ＣＱＩを報告することは、中断の前記持続時間の前記値が前記中断時間についての上限しきい値（ＴｈST_HIGH）よりも大きい場合、前記第１のＲＡＴにおける前記通信を再開した後にＣＱＩフィルタ状態を更新することを備える、請求項１７に記載の方法。
【請求項１９】
前記第１のＲＡＴにおける通信を中断するより前の前記チャネル状態に基づいて前記ＣＱＩを報告することをさらに備える、請求項１５に記載の方法。
【請求項２０】
前記第１のＲＡＴにおける通信を中断するより前の前記チャネル状態に基づいて前記ＣＱＩを報告することは、前記ドップラー推定値の前記値が前記中断時間についての上限しきい値（ＴＨDoppler_HIGH）よりも大きく、中断の前記持続時間の前記値が前記中断時間についての上限しきい値（ＴｈST_HIGH）よりも小さい場合、前記第１のＲＡＴの通信を中断する前に使用されたＣＱＩフィルタ状態と同じＣＱＩフィルタ状態を使用することを備える、請求項１９に記載の方法。
【請求項２１】
前記第１のＲＡＴの通信を中断する前に使用されたＣＱＩフィルタ状態と同じ前記ＣＱＩフィルタ状態を使用することは、前記第１のＲＡＴにおける前記通信を中断する前の時間期間にわたって平均化されたＣＱＩを決定することを備える、請求項２０に記載の方法。
【請求項２２】
前記第１のＲＡＴは第３世代パートナーシッププロジェクト（３ＧＰＰ）ロングタームエボリューション（ＬＴＥ）を備える、請求項１に記載の方法。
【請求項２３】
ユーザ機器（ＵＥ）によって実行されるワイヤレス通信の装置であって、
第２の無線アクセス技術（ＲＡＴ）にアクセスするために第１のＲＡＴにおける通信を中断する手段と、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定する手段と、
を備える、装置。
【請求項２４】
決定する前記手段は、
前記通信を中断する前からの前記ドップラー推定値と前記第１のＲＡＴの中断の持続時間とに基づいて、前記第１のＲＡＴの前記中断の前の前記チャネル状態に基づいて前記ＣＱＩを報告すべきか、または前記第１のＲＡＴにおける前記通信を再開した後の前記チャネル状態に基づいて前記ＣＱＩを報告すべきかを決定するように構成された、請求項２３に記載の装置。
【請求項２５】
前記第１のＲＡＴの前記中断の前の前記チャネル状態に基づいて前記ＣＱＩを報告する手段をさらに備える、請求項２３に記載の装置。
【請求項２６】
前記第１のＲＡＴの前記中断の前の前記チャネル状態に基づいて前記ＣＱＩを報告する前記手段は、前記第１のＲＡＴにおける前記通信を中断する前の時間期間にわたって平均化された前記ＣＱＩを決定するように構成された、請求項２５に記載の装置。
【請求項２７】
前記第１のＲＡＴにおける前記通信を再開した後の前記チャネル状態に基づいて前記ＣＱＩを報告する手段をさらに備える、請求項２３に記載の装置。
【請求項２８】
前記第１のＲＡＴにおける前記通信を再開した後の前記チャネル状態に基づいて前記ＣＱＩを報告する前記手段は、前記第１のＲＡＴにおける前記通信を再開した後の実質的に瞬間の時点における前記ＣＱＩを決定するように構成された、請求項２７に記載の装置。
【請求項２９】
前記第１のＲＡＴにおける前記通信を再開した後の前記チャネル状態に基づいて前記ＣＱＩを報告する前記手段は、通信を中断するより前のＣＱＩ平均を決定するために使用された時間期間とは異なる時間期間にわたって平均化された前記ＣＱＩを決定するように構成された、請求項２７に記載の装置。
【請求項３０】
前記ドップラー推定値の値、中断の持続時間の値、またはそれらの組合せに基づいて前記ＣＱＩを報告する手段をさらに備える、請求項２３に記載の装置。
【請求項３１】
前記ドップラー推定値の前記値および中断の前記持続時間の前記値は、前記第１のＲＡＴの中断の前記持続時間、前記ＵＥが前記ＣＱＩを報告した後にリソーススケジューリング情報を受信するのにかかる時間、またはそれらの組合せに少なくとも基づいて設定される、請求項３０に記載の装置。
【請求項３２】
前記ドップラー推定値に基づいて決定する前記手段は、前記ドップラー推定値を前記ドップラー推定値についての下限しきい値（ＴＨDoppler_LOW）または前記ドップラー推定値についての上限しきい値（ＴＨDoppler_HIGH）のうちの少なくとも１つと比較するように構成された、請求項２３に記載の装置。
【請求項３３】
前記第１のＲＡＴにおける前記通信を再開した後の前記チャネル状態に基づいて前記ＣＱＩを報告する手段
をさらに備える、請求項３２に記載の装置。
【請求項３４】
前記第１のＲＡＴにおける前記通信を再開した後の前記チャネル状態に基づいて前記ＣＱＩを報告する前記手段は、前記ドップラー推定値の前記値が（ＴＨDoppler_LOW）よりも小さい場合、前記第１のＲＡＴにおける前記通信を再開した後のＣＱＩフィルタ状態を、通信を中断する前に使用された前記ＣＱＩフィルタ状態とは異なるように更新するように構成された、請求項３３に記載の装置。
【請求項３５】
前記ＣＱＩフィルタ状態を更新することは、前記第１のＲＡＴにおける前記通信を再開した後の実質的に瞬間の時点におけるＣＱＩを決定すること、または通信を中断するより前のＣＱＩ平均を決定するために使用された時間期間とは異なる時間期間にわたって平均化されたＣＱＩを決定することを備える、請求項３４に記載の装置。
【請求項３６】
ドップラー推定値に基づいて決定する前記手段は、前記ドップラー推定値を、前記ドップラー推定値についての下限しきい値（ＴＨDoppler_LOW）または前記ドップラー推定値についての上限しきい値（ＴＨDoppler_HIGH）のうちの少なくとも１つと比較するように構成された、請求項２４に記載の装置。
【請求項３７】
決定する前記手段は、前記第１のＲＡＴの中断の前記持続時間の前記値を前記中断時間についての１つまたは複数のしきい値と比較するようにさらに構成された、請求項３６に記載の装置。
【請求項３８】
前記第１のＲＡＴの中断の前記持続時間の前記値を前記中断時間についての１つまたは複数のしきい値と比較することは、前記第１のＲＡＴの中断の前記持続時間の前記値を、前記中断時間についての下限しきい値（ＴｈST_LOW）、前記中断時間についての中間しきい値（ＴｈST_MID）または前記中断時間についての上限しきい値（ＴｈST_HIGH）のうちの少なくとも１つと比較することを備える、請求項３７に記載の装置。
【請求項３９】
前記第１のＲＡＴにおける前記通信を再開した後の前記チャネル状態に基づいて前記ＣＱＩを報告する手段
をさらに備える、請求項３７に記載の装置。
【請求項４０】
前記第１のＲＡＴにおける前記通信を再開した後の前記チャネル状態に基づいて前記ＣＱＩを報告する前記手段は、中断の前記持続時間の前記値が前記中断時間についての上限しきい値（ＴｈST_HIGH）よりも大きい場合、前記第１のＲＡＴにおける前記通信を再開した後にＣＱＩフィルタ状態を更新するように構成された、請求項３９に記載の装置。
【請求項４１】
前記第１のＲＡＴにおける通信を中断するより前の前記チャネル状態に基づいて前記ＣＱＩを報告するための手段
をさらに備える、請求項３７に記載の装置。
【請求項４２】
前記第１のＲＡＴにおける通信を中断するより前の前記チャネル状態に基づいて前記ＣＱＩを報告する前記手段は、前記ドップラー推定値の前記値が前記中断時間についての上限しきい値（ＴＨDoppler_HIGH）よりも大きく、中断の前記持続時間の前記値が前記中断時間についての上限しきい値（ＴｈST_HIGH）よりも小さい場合、前記第１のＲＡＴの通信を中断する前に使用されたＣＱＩフィルタ状態と同じＣＱＩフィルタ状態を使用するように構成された、請求項４１に記載の装置。
【請求項４３】
前記第１のＲＡＴの通信を中断する前に使用されたＣＱＩフィルタ状態と同じ前記ＣＱＩフィルタ状態を使用することは、前記第１のＲＡＴにおける前記通信を中断する前の時間期間にわたって平均化されたＣＱＩを決定することを備える、請求項４２に記載の装置。
【請求項４４】
前記第１のＲＡＴが第３世代パートナーシッププロジェクト（３ＧＰＰ）ロングタームエボリューション（ＬＴＥ）を備える、請求項２３に記載の装置。
【請求項４５】
ユーザ機器（ＵＥ）によって実行されるワイヤレス通信のための装置であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を行うように構成された少なくとも１つのプロセッサと、
前記少なくとも１つのプロセッサに結合されたメモリと、
を備える、装置。
【請求項４６】
ユーザ機器（ＵＥ）によって実行されるワイヤレス通信のためのコンピュータプログラム製品であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を行うためのコードを備えるコンピュータ可読媒体
を備える、コンピュータプログラム製品。
【請求項４７】
ユーザ機器（ＵＥ）によって実行されるワイヤレス通信の方法であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を備える、方法。
【請求項４８】
決定することは、前記通信を中断する前から取得された情報と前記第１のＲＡＴの中断の持続時間とに基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することを備える、請求項４７に記載の方法。
【請求項４９】
ユーザ機器（ＵＥ）によって実行されるワイヤレス通信の装置であって、
第２の無線アクセス技術（ＲＡＴ）にアクセスするために第１のＲＡＴにおける通信を中断する手段と、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定する手段と、
を備える、装置。
【請求項５０】
決定する前記手段は、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定するように構成された、請求項４９に記載の装置。
【請求項５１】
ユーザ機器（ＵＥ）によって実行されるワイヤレス通信のための装置であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を行うように構成された少なくとも１つのプロセッサと、
前記少なくとも１つのプロセッサに結合されたメモリと、
を備える、装置。
【請求項５２】
ユーザ機器（ＵＥ）によって実行されるワイヤレス通信のためのコンピュータプログラム製品であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を行うためのコードを備えるコンピュータ可読媒体
を備える、コンピュータプログラム製品。
【発明の詳細な説明】
【優先権の主張】
【０００１】
米国特許法第１１９条に基づく優先権の主張
本特許出願は、本出願の譲受人に譲渡され、参照により本明細書に明確に組み込まれる、２０１２年４月１３日に出願された「METHODS AND APPARATUS FOR DETERMINING HOW TO PERFORM OPERATIONS AFTER COMMUNICATION SUSPEND BASED ON INFORMATION BEFORE SUSPEND」と題する米国仮出願第６１／６２４，１８７号の優先権を主張する。
【技術分野】
【０００２】
本開示は、一般に通信システムに関し、より詳細には、通信中断（communication suspend）の前の情報に基づいて通信中断後の動作をどのように実行するかを決定するための方法および装置に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示のいくつかの態様は、ユーザ機器によるワイヤレス通信のための方法を提供する。本方法は、概して、第２の無線アクセス技術（ＲＡＴ：radio access technology）にアクセスするために第１のＲＡＴにおける通信を中断することと、通信を中断する前からのドップラー推定値に基づいて、第１のＲＡＴの中断の前のチャネル状態に基づくチャネル品質インジケータ（ＣＱＩ：Channel Quality Indicator）を報告すべきか、または第１のＲＡＴにおける通信を再開した後のチャネル状態に基づくＣＱＩを報告すべきかを決定することとを含む。
【０００６】
[0006]本開示のいくつかの態様は、ワイヤレス通信のための装置を提供する。本装置は、概して、第２の無線アクセス技術（ＲＡＴ）にアクセスするために第１のＲＡＴにおける通信を中断する手段と、通信を中断する前からのドップラー推定値に基づいて、第１のＲＡＴの中断の前のチャネル状態に基づくチャネル品質インジケータ（ＣＱＩ）を報告すべきか、または第１のＲＡＴにおける通信を再開した後のチャネル状態に基づくＣＱＩを報告すべきかを決定する手段とを含む。
【０００７】
[0007]本開示のいくつかの態様は、ワイヤレス通信のための装置を含む。本装置は、概して、少なくとも１つのプロセッサと、少なくとも１つのプロセッサに結合されたメモリとを含む。少なくとも１つのプロセッサは、概して、第２の無線アクセス技術（ＲＡＴ）にアクセスするために第１のＲＡＴにおける通信を中断することと、通信を中断する前からのドップラー推定値に基づいて、第１のＲＡＴの中断の前のチャネル状態に基づくチャネル品質インジケータ（ＣＱＩ）を報告すべきか、または第１のＲＡＴにおける通信を再開した後のチャネル状態に基づくＣＱＩを報告すべきかを決定することとを行うように構成される。
【０００８】
[0008]本開示のいくつかの態様は、ワイヤレス通信のためのコンピュータプログラム製品を含む。コンピュータプログラム製品は、概して、第２の無線アクセス技術（ＲＡＴ）にアクセスするために第１のＲＡＴにおける通信を中断することと、通信を中断する前からのドップラー推定値に基づいて、第１のＲＡＴの中断の前のチャネル状態に基づくチャネル品質インジケータ（ＣＱＩ）を報告すべきか、または第１のＲＡＴにおける通信を再開した後のチャネル状態に基づくＣＱＩを報告すべきかを決定することとを行うためのコードを含むコンピュータ可読媒体を含む。
【０００９】
[0009]本開示のいくつかの態様は、ユーザ機器によるワイヤレス通信のための方法を提供する。本方法は、概して、第２の無線アクセス技術（ＲＡＴ）にアクセスするために第１のＲＡＴにおける通信を中断することと、通信を中断する前から取得された情報に基づいて、第１のＲＡＴの中断の前に取得された情報に基づいてドップラー推定、チャネル推定、自動利得制御、周波数トラッキングループ、ＤＣ推定、ＳＮＲ推定または時間トラッキングループのうちの少なくとも１つを決定すべきか、または第１のＲＡＴにおける通信を再開した後に取得された情報に基づいてドップラー推定、チャネル推定、自動利得制御、周波数トラッキングループ、ＤＣ推定、ＳＮＲ推定または時間トラッキングループのうちの少なくとも１つを決定すべきかを決定することと、を含む。
【００１０】
[0010]本開示のいくつかの態様は、ワイヤレス通信のための装置を提供する。本装置は、概して、第２の無線アクセス技術（ＲＡＴ）にアクセスするために第１のＲＡＴにおける通信を中断する手段と、通信を中断する前から取得された情報に基づいて、第１のＲＡＴの中断の前に取得された情報に基づいてドップラー推定、チャネル推定、自動利得制御、周波数トラッキングループ、ＤＣ推定、ＳＮＲ推定または時間トラッキングループのうちの少なくとも１つを決定すべきか、または第１のＲＡＴにおける通信を再開した後に取得された情報に基づいてドップラー推定、チャネル推定、自動利得制御、周波数トラッキングループ、ＤＣ推定、ＳＮＲ推定または時間トラッキングループのうちの少なくとも１つを決定すべきかを決定する手段とを含む。
【００１１】
[0011]本開示のいくつかの態様は、ワイヤレス通信のための装置を含む。本装置は、概して、少なくとも１つのプロセッサと、少なくとも１つのプロセッサに結合されたメモリとを含む。少なくとも１つのプロセッサは、概して、第２の無線アクセス技術（ＲＡＴ）にアクセスするために第１のＲＡＴにおける通信を中断することと、通信を中断する前から取得された情報に基づいて、第１のＲＡＴの中断の前に取得された情報に基づいてドップラー推定、チャネル推定、自動利得制御、周波数トラッキングループ、ＤＣ推定、ＳＮＲ推定または時間トラッキングループのうちの少なくとも１つを決定すべきか、または第１のＲＡＴにおける通信を再開した後に取得された情報に基づいてドップラー推定、チャネル推定、自動利得制御、周波数トラッキングループ、ＤＣ推定、ＳＮＲ推定または時間トラッキングループのうちの少なくとも１つを決定すべきかを決定することと、を行うように構成される。
【００１２】
[0012]本開示のいくつかの態様は、ワイヤレス通信のためのコンピュータプログラム製品を含む。コンピュータプログラム製品は、概して、第２の無線アクセス技術（ＲＡＴ）にアクセスするために第１のＲＡＴにおける通信を中断することと、通信を中断する前から取得された情報に基づいて、第１のＲＡＴの中断の前に取得された情報に基づいてドップラー推定、チャネル推定、自動利得制御、周波数トラッキングループ、ＤＣ推定、ＳＮＲ推定または時間トラッキングループのうちの少なくとも１つを決定すべきか、または第１のＲＡＴにおける通信を再開した後に取得された情報に基づいてドップラー推定、チャネル推定、自動利得制御、周波数トラッキングループ、ＤＣ推定、ＳＮＲ推定または時間トラッキングループのうちの少なくとも１つを決定すべきかを決定することと、を行うためのコードを含むコンピュータ可読媒体を含む。
【図面の簡単な説明】
【００１３】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】本開示のいくつかの態様による、アクセスネットワーク中の発展型ノードＢおよびユーザ機器の一例を示す図。
【図７】異種ネットワーク中の範囲拡大セルラー領域を示す図。
【図８】本開示のいくつかの態様による、低ドップラー事例のチャネル強度（またはＳＩＮＲ）を示す図。
【図９】本開示のいくつかの態様による、高ドップラー事例のチャネル強度（またはＳＩＮＲ）を示す図。
【図１０】本開示のいくつかの態様による、ＬＴＥ動作を再開した後にＣＱＩ計算／更新をどのように実行するかを決定するための、ユーザ機器によって実行される例示的な動作を示す図。
【図１１】本開示のいくつかの態様による、ＣＱＩのための異なるＩＩＲフィルタリング時定数をもつ拡張歩行者Ａ（ＥＰＡ：Extended Pedestrian A）５（低ドップラー事例）の下での例示的なスループット性能を示す図。
【図１２】本開示のいくつかの態様による、ＣＱＩの異なる平均化をもつＥＶＡ７０チャネル（高ドップラー事例）の下での例示的なスループット性能を示す図。
【発明を実施するための形態】
【００１４】
[0025]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
[0026]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるのか、ソフトウェアとして実装されるのかは、特定の適用例および全体的なシステムに課された設計制約に依存する。
【００１６】
[0027]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
[0028]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１８】
[0029]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。例示的な他のアクセスネットワークは、ＩＰマルチメディアサブシステム（ＩＭＳ：IP Multimedia Subsystem）ＰＤＮ、インターネットＰＤＮ、管理ＰＤＮ（たとえば、プロビジョニングＰＤＮ）、キャリア固有のＰＤＮ、事業者固有のＰＤＮ、および／またはＧＰＳ  ＰＤＮを含み得る。図示のように、ＥＰＳはパケット交換サービスを提供するが、当業者なら容易に諒解するように、本開示全体にわたって提示する様々な概念は、回線交換サービスを提供するネットワークに拡張され得る。
【００１９】
[0030]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
[0031]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、たとえば、インターネットと、イントラネットと、ＩＰマルチメディアサブシステム（ＩＭＳ）と、ＰＳストリーミングサービス（ＰＳＳ：PS Streaming Service）とを含み得る。この方法では、ＵＥ１０２は、ＬＴＥネットワークを通してＰＤＮに結合され得る。
【００２１】
[0032]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２２】
[0033]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２３】
[0034]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２４】
[0035]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２５】
[0036]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２６】
[0037]図３は、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２７】
[0038]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ）をもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２８】
[0039]ｅＮＢは、各サブフレームの最初のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ）を送り得る。ＰＤＳＣＨは、ダウンリンク上でのデータ送信がスケジュールされたＵＥのためのデータを搬送し得る。
【００２９】
[0040]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また特定のＵＥにユニキャスト方式でＰＤＳＣＨを送り得る。
【００３０】
[0041]各シンボル期間においていくつかのリソース要素が利用可能であり得る。各リソース要素（ＲＥ）は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、たとえば、最初のＭ個のシンボル期間において、利用可能なＲＥＧから選択され得る、９、１８、３６、または７２個のＲＥＧを占有し得る。ＲＥＧのいくつかの組合せのみがＰＤＣＣＨに対して許され得る。
【００３１】
[0042]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して許される組合せの数よりも少ない。ｅＮＢは、ＵＥが探索することになる組合せのいずれかにおいてＵＥにＰＤＣＣＨを送り得る。
【００３２】
[0043]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００３３】
[0044]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり得、周波数上でホッピングし得る。
【００３４】
[0045]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３５】
[0046]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３６】
[0047]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３７】
[0048]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００３８】
[0049]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３９】
[0050]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４０】
[0051]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４１】
[0052]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００４２】
[0053]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４３】
[0054]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００４４】
[0055]ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４５】
[0056]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４６】
[0057]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４７】
[0058]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることができる。
【００４８】
中断ＬＴＥにおける例示的なＣＱＩ計算／更新
[0059]ＬＴＥとＣＤＭＡの両方をサポートするネットワークでは、ＵＥチップセットがＬＴＥとＣＤＭＡ  １ｘの両方をサポートすることが必要であり得る。ＬＴＥにおいて動作しながら１ｘを監視することをサポートするための２つのシステムアーキテクチャがあり得る。第１のアーキテクチャは、一方がＬＴＥ用であり、他方が１ｘ用である、２つの別個の無線周波数（ＲＦ）チェーンを有し得る。このアーキテクチャは、ＬＴＥデータ呼がアクティブであるとき、１ｘボイスページが並列に復号されることを可能にし得る。このアーキテクチャ／アルゴリズムは、一般にＳＶＬＴＥ（同時ボイスおよびＬＴＥ：simultaneous voice and LTE）と呼ばれる。Ｑｕａｌｃｏｍｍ（登録商標）からのＭＳＭ８９６０（登録商標）チップセットはこのアーキテクチャを使用する。
【００４９】
[0060]別のアーキテクチャはただ１つのＲＦチェーンを有し得る。このＲＦチェーンは、ＬＴＥ技術とＣＤＭＡ技術は同時にアクティブであり得ないという制約とともに、ＬＴＥと１ｘとの間で共有される必要があり得る。１ｘページングを監視するために、ＵＥは、ＬＴＥデータ呼がアクティブである間にＬＴＥから周期的にチューンアウェイ（tune away）する必要があり得る。このアーキテクチャ／アルゴリズムは、一般にＳＬＴＥ（中断ＬＴＥ：suspended LTE）と呼ばれる。Ｑｕａｌｃｏｍｍ（登録商標）からのＭＳＭ９ｘ１５チップセットはこのアーキテクチャを使用する。
【００５０】
[0061]ＳＬＴＥアーキテクチャは、バッテリー消費を改善し、基板面積と部品表（ＢＯＭ：bill of material）とを節約するが、ＬＴＥデータ呼がアクティブである間にＵＥが１ｘボイスページを周期的に監視しなければならないときに問題が起こる。１ｘへのＲＦ同調時間中に、ＬＴＥ呼は中断またはほぼ中断され、これは、ネットワークによって予想されないことがある、ＬＴＥ  ＵＥ機能の途絶をもたらし得る。チャネル品質インジケータ（ＣＱＩ）は、通常、受信したダウンリンク信号対干渉雑音比（ＳＩＮＲ：Signal to Interference plus Noise Ratio）の測定値に基づく、ダウンリンク送信のための好適なデータレート（一般に変調およびコーディング方式（ＭＣＳ：Modulation and Coding Scheme）値）を示すためにＵＥによって基地局にシグナリングされる情報である。現在のＳＬＴＥアルゴリズムでは、たとえば、ＬＴＥの一時的中断の後にＵＥがＬＴＥに戻るとき、ドップラー（ＵＥがどのくらい高速で移動しているか）およびＬＴＥ中断の持続時間のようなファクタを考慮することなしに、ＬＴＥチューンアウェイの前からのＣＱＩフィルタ状態がデフォルトで使用される。これはＬＴＥ呼再開に悪影響を及ぼし得る。
【００５１】
[0062]いくつかの態様では、再開時にＬＴＥ呼への性能ペナルティを最小限に抑えるために、ＬＴＥに同調した後にＬＴＥ  ＣＱＩ計算／更新をどのように実行するかを決定するための１つまたは複数の追加のパラメータに加えて、ＬＴＥチューンアウェイ（たとえば、ＬＴＥ中断）の前から入手可能な情報が使用され得る。いくつかの態様では、ＵＥは、ＵＥがそのＣＱＩフィルタ状態をＬＴＥチューンアウェイの前から使用（たとえば、そのような前のＣＱＩフィルタ状態を使用して再開）すべきであるのか、またはＬＴＥに同調した後の新しいＣＱＩフィルタ状態を使用（たとえば、それのＣＱＩフィルタ状態をリセット）すべきであるのかを決定するために、（ＬＴＥチューンアウェイの前からの）ドップラー推定値および／または中断時間（たとえば、ＬＴＥ中断の持続時間）に関する情報を使用し得る。ＣＱＩフィルタ状態を再開（resume）することは、ＵＥが、ＬＴＥチューンアウェイ時の同じＣＱＩフィルタ状態を使用することを含み得る。一態様では、ＣＱＩフィルタ状態が再開されるとき、更新パラメータ（たとえば、フィルタ時定数）はＬＴＥチューンアウェイの前と同じままである。いくつかの態様では、ＣＱＩフィルタ状態をリセットすることは、ＵＥが、ＬＴＥ中断の前に使用されたＣＱＩフィルタ状態をクリアすることと、ＬＴＥ接続を再開した後に新しいＣＱＩを決定することとを含み得る。
【００５２】
[0063]いくつかの態様では、ＵＥが、ＬＴＥ中断の前のチャネル状態に基づいてＣＱＩを報告（たとえば、ＣＱＩフィルタ状態を再開）するのか、またはＬＴＥに同調した後のチャネル状態に基づいてＣＱＩを報告するのかに関する決定は、ドップラー推定値の値、ＬＴＥチューンアウェイの持続時間、またはそれらの組合せに基づき得る。いくつかの態様では、ドップラー推定値および／またはＬＴＥチューンアウェイの持続時間について１つまたは複数のしきい値が定義され得る。たとえば、ドップラー推定値についての下限しきい値（ＴＨDoppler_LOW）およびドップラー推定値についての上限しきい値（ＴＨDoppler_HIGH）が定義され得る。さらに、中断時間についての下限しきい値（ＴｈST_LOW）、中断時間についての中間しきい値（ＴｈST_MID）および中断時間についての上限しきい値（ＴｈST_HIGH）が定義され得る。ＬＴＥ再開の後のＣＱＩ計算／更新に関するＵＥ挙動は、ドップラー推定値しきい値および／または中断時間しきい値が満たされるかどうかに基づき得る。
【００５３】
[0064]表１に、ＬＴＥ再開の後のＣＱＩ計算／更新に関する例示的なＵＥ挙動を示す。
【表１】
2015516760.tif 000003
【００５４】
[0065]表１の最初の行からわかるように、ドップラー推定値がドップラー推定値についての下限しきい値（ＴＨDoppler_LOW）以下である場合、ＵＥは、（たとえば、ＬＴＥチューンアウェイの持続時間の値にかかわらず）ＬＴＥに同調した後にＣＱＩフィルタ状態をリセットする。これは、ドップラーが小さいとき、短期チャネルフェージングをキャプチャするためにＣＱＩ計算がリセットされなければならないからである。
【００５５】
[0066]図８に、本開示のいくつかの態様による、低ドップラー事例のチャネル強度（たとえば、ＳＩＮＲ）を示す。図８では、ｙ軸はチャネル強度（たとえば、ＳＩＮＲ）を表し、ｘ軸は時間を表す。正弦曲線８１０は時間によるチャネルフェージングを表す。時刻ｔ２とｔ３との間およびｔ６とｔ７との間の影つき領域は、ＵＥがＬＴＥからチューンアウェイしている持続時間を表す。影つきでない領域は、ＵＥがＬＴＥに同調している持続時間を表す。
【００５６】
[0067]ｔ２とｔ３との間のＬＴＥチューンアウェイ（または中断）の第１のオケージョンでは、ＵＥがＬＴＥに同調した後の（ｔ３においてドットによって示されている）瞬時チャネル状態が、ＬＴＥチューンアウェイの前の平均チャネル状態（ｔ１とｔ２との間の曲線の平均）よりも信頼できるチャネル状態を反映することがわかり得る。同じ観測が、ｔ６とｔ７との間のＬＴＥチューンアウェイの第２のオケージョンにも当てはまる。
【００５７】
[0068]いくつかの態様では、ＬＴＥ動作において、ＵＥは計算されたＣＱＩ値をｅＮＢに報告し、ｅＮＢは（たとえば、８ｍｓ後に）ＵＥへのダウンリンク送信をスケジュールする。図８を参照すると、ＣＱＩがｔ３において報告された場合、ｅＮＢはｔ４において（たとえば、８ｍｓ後に）ダウンリンク送信をスケジュールし得る。ドップラーが低いので、チャネルは不変のままであり得、したがって、報告されたＣＱＩは、依然として、ダウンリンクスケジューリング時の真のチャネル状態の有効な近似値である。対照的に、ｔ１とｔ２との間の曲線の平均に基づくＣＱＩは、ｔ３において古くなったデータを表し得る。これは表１の最初の行に当てはまる。
【００５８】
[0069]図９に、本開示のいくつかの態様による、高ドップラー事例のチャネル強度（たとえば、ＳＩＮＲ）を示す。正弦曲線９１０は時間によるチャネルフェージングを表す。
【００５９】
[0070]いくつかの態様では、ドップラーが高いとき、瞬時ＣＱＩ報告は、ダウンリンクスケジューリングが行われる時間までに古くなり得る。図９中のｔ２とｔ３との間の第１のＬＴＥ中断領域によって示されるように、ｔ３における瞬時チャネル状態は、ｔ４におけるチャネル状態を信頼できるようには反映しない。この場合、ＬＴＥの前のｔ１〜ｔ２中に取得された平均情報がＣＱＩ状態のより良い推定値を与え得る。これは、最後のフィールドを除いて、表１の最後の行に当てはまる。表１の最後の行（最後のフィールドを除く）からわかるように、ドップラー推定値がドップラー推定値についての上限しきい値（ＴＨDoppler_HIGH）以上である場合、ＵＥは、ＬＴＥに同調した後にＬＴＥチューンアウェイの前からのＣＱＩフィルタ状態を再開する。
【００６０】
[0071]いくつかの態様では、高ドップラー事例について１つの例外が作られる必要がある。図９中のｔ６とｔ７との間のＬＴＥチューンアウェイの第２のインスタンスによって示されるように、中断がある時間期間を超える（たとえば、中断が本当に長い）とき、ＵＥが長い時間期間の間、高速に移動していることにより、伝搬環境が変化し、さらには干渉が変化し得る。このシナリオでは、（ｔ５〜ｔ６からのものである）ＬＴＥ中断の前のすべてのＣＱＩ情報は古く（stale）なり得、したがって、新しいＣＱＩ計算が開始されなければならない。これは、中断持続時間値が中断時間についての上限しきい値（ＴｈST_HIGH）以上である場合にＵＥがＣＱＩ計算をリセットする、表の最後のフィールドを説明する。
【００６１】
[0072]いくつかの態様では、表１の中間の行からわかるように、ドップラーの値がドップラー推定値についての下限しきい値（ＴＨDoppler_LOW）とドップラー推定値についての上限しきい値（ＴＨDoppler_HIGH）との間にあるとき、ＵＥは、ＣＱＩ計算をリセットすることまたは再開することを選択し得る（たとえば、リセット／再開値は、ネットワークおよび／またはＵＥパラメータに基づいて構成され得る）。
【００６２】
[0073]図１０に、本開示のいくつかの態様による、一時的ＬＴＥ中断の後にＬＴＥ動作を再開したときにＣＱＩ計算／更新をどのように実行するかを決定するための、ユーザ機器によって実行される例示的な動作１０００を示す。
【００６３】
[0074]動作１０００は、１００２において、第２の無線アクセス技術（ＲＡＴ）にアクセスするために第１のＲＡＴにおける通信を中断することによって開始し得る。１００４において、ＵＥは、第１のＲＡＴにおける通信を中断する前からのドップラー推定値に基づいて、第１のＲＡＴの中断の前のチャネル状態に基づいてＣＱＩを報告すべきなのか、または第１のＲＡＴにおける通信を再開した後のチャネル状態に基づいてＣＱＩを報告すべきなのかを決定する。一態様では、第１のＲＡＴは３ＧＰＰ  ＬＴＥを含み得る。
【００６４】
[0075]いくつかの態様では、決定することは、通信を中断する前からのドップラー推定値と第１のＲＡＴの中断の持続時間とに基づいて、第１のＲＡＴの中断の前のチャネル状態に基づいてＣＱＩを報告すべきなのか、または第１のＲＡＴにおける通信を再開した後のチャネル状態に基づいてＣＱＩを報告すべきなのかを決定することを含み得る。
【００６５】
[0076]いくつかの態様では、第１のＲＡＴの中断の前のチャネル状態に基づいてＣＱＩを報告することは、第１のＲＡＴにおける通信を中断する前の時間期間にわたって平均化されたＣＱＩを決定することを備える。
【００６６】
[0077]いくつかの態様では、第１のＲＡＴにおける通信を再開した後のチャネル状態に基づいてＣＱＩを報告することは、第１のＲＡＴにおける通信を再開した後の実質的に瞬間の時点におけるＣＱＩを決定することを備える。代替態様では、第１のＲＡＴにおける通信を再開した後のチャネル状態に基づいてＣＱＩを報告することは、通信を中断するより前にＣＱＩ平均を決定するために使用された時間期間とは異なる時間期間にわたって平均化されたＣＱＩを決定することを備える。
【００６７】
[0078]いくつかの態様では、ＵＥは、ドップラー推定値の値、中断の持続時間の値、またはそれらの組合せに基づいてＣＱＩを報告し得る。一態様では、ドップラー推定値の値および中断の持続時間の値は、第１のＲＡＴの中断の持続時間、ＵＥがＣＱＩを報告した後にリソーススケジューリング情報を受信するのにかかる時間、またはそれらの組合せに少なくとも基づいて設定され得る。
【００６８】
[0079]いくつかの態様では、ＵＥは、ドップラー推定値をドップラー推定値についての下限しきい値（ＴＨDoppler_LOW）またはドップラー推定値についての上限しきい値（ＴＨDoppler_HIGH）のうちの少なくとも１つと比較し得、ドップラー推定値の値がＴＨDoppler_LOWよりも小さい場合、第１のＲＡＴにおける通信を再開した後のＣＱＩフィルタ状態を、通信を中断する前に使用されたＣＱＩフィルタ状態とは異なるように更新し得る。一態様では、ＣＱＩフィルタ状態を更新することは、第１のＲＡＴにおける通信を再開した後の実質的に瞬間の時点におけるＣＱＩを決定すること、または通信を中断するより前にＣＱＩ平均を決定するために使用された時間期間とは異なる時間期間にわたって平均化されたＣＱＩを決定することを含み得る。
【００６９】
[0080]いくつかの態様では、ＵＥは、第１のＲＡＴの中断の持続時間の値を、中断時間についての１つまたは複数のしきい値と比較し得る。これは、第１のＲＡＴの中断の持続時間の値を、中断時間についての下限しきい値（ＴｈST_LOW）、中断時間についての中間しきい値（ＴｈST_MID）または中断時間についての上限しきい値（ＴｈST_HIGH）のうちの少なくとも１つと比較することを含み得る。一態様では、ＵＥは、中断の持続時間の値が中断時間についての上限しきい値（ＴｈST_HIGH）よりも大きい場合、第１のＲＡＴにおける通信を再開した後にＣＱＩフィルタ状態を更新し得る。
【００７０】
[0081]いくつかの態様では、ＵＥは、ドップラー推定値の値が中断時間についての上限しきい値（ＴＨDoppler_HIGH）よりも大きく、中断の持続時間の値が中断時間についての上限しきい値（ＴｈST_HIGH）よりも小さい場合、第１のＲＡＴの通信を中断する前に採用されたＣＱＩフィルタ状態と同じＣＱＩフィルタ状態を使用し得る。この態様では、ＵＥは、第１のＲＡＴにおける通信を中断する前の時間期間にわたって平均化されたＣＱＩを決定し得る。
【００７１】
[0082]図１１に、本開示のいくつかの態様による、ＣＱＩのための異なるＩＩＲフィルタリング時定数をもつ拡張ペデストリアン（Extended Pedestrian）Ａ（ＥＰＡ）５（低ドップラー事例）の下での例示的なスループット性能を示す。図１１の凡例に示すように、パラメータτは、時間領域におけるＣＱＩスペクトル効率（ＣＱＩ−ＳＥ：CQI spectral efficiency）フィルタリングの時定数を示す。いくつかの態様では、τのより大きい値は、（たとえば、ＣＱＩの）より多くの時間領域平均化を暗示する。図１１からわかるように、低ドップラー事例では、より少ないＣＱＩ平均化を使用することが有益である。言い換えれば、この場合、ＬＴＥに再び同調した後にＣＱＩ計算をリセットすることが有益である。
【００７２】
[0083]図１２に、本開示のいくつかの態様による、ＣＱＩの異なる平均化をもつＥＶＡ７０チャネル（高ドップラー事例）の下での例示的なスループット性能を示す。図１２からわかるように、高ドップラー事例では、ＬＴＥ再開時により多くのＣＱＩ平均化を使用することが有益である。言い換えれば、この場合、ＬＴＥ中断の前の平均ＣＱＩ情報を利用することが有益である。
【００７３】
[0084]開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００７４】
[0085]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００７５】
[0086]以上の説明は、当業者が本明細書で説明した様々な態様を実施することができるようにするために提供したものである。これらの態様に対する様々な変更は当業者には容易に明らかであり、本明細書で定義した一般的原理は他の態様に適用され得る。ドップラー推定値と、場合によっては、第１のＲＡＴの中断の持続時間とに基づいて、ＬＴＥに同調した後にＬＴＥ  ＣＱＩ計算／更新をどのように実行するかを決定することを記述する態様について上記で説明した。ただし、本方法および装置は、通信を中断する前からの情報に基づいて、ＬＴＥに同調した後に様々な動作をどのように実行するかを決定することを含む。たとえば、様々な動作は、ドップラー推定、チャネル推定、自動利得制御、周波数トラッキングループ、ＤＣ推定、ＳＮＲ推定および／または時間トラッキングループを含む。態様では、ドップラー推定値および／またはＬＴＥチューンアウェイの持続時間について上記で説明した情報と同様の情報について１つまたは複数のしきい値が定義され得る。さらに、ＬＴＥ再開の後の動作に関するＵＥ挙動は、情報しきい値および／または中断時間しきい値が、ドップラー推定値について上記で説明したことと同様に満たされるかどうかに基づき得る。
【００７６】
[0087]したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「する手段」という語句を使用して明確に具陳されていない限り、ミーンズプラスファンクションとして解釈されるべきではない。
【図１】
2015516760.tif 000004
【図２】
2015516760.tif 000005
【図３】
2015516760.tif 000006
【図４】
2015516760.tif 000007
【図５】
2015516760.tif 000008
【図６】
2015516760.tif 000009
【図７】
2015516760.tif 000010
【図８】
2015516760.tif 000011
【図９】
2015516760.tif 000012
【図１０】
2015516760.tif 000013
【図１１】
2015516760.tif 000014
【図１２】
2015516760.tif 000015
【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信の方法であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を備える、方法。
【請求項２】
前記決定することは、
前記通信を中断する前からの前記ドップラー推定値と前記第１のＲＡＴの中断の持続時間とに基づいて、前記第１のＲＡＴの前記中断の前の前記チャネル状態に基づいて前記ＣＱＩを報告すべきか、または前記第１のＲＡＴにおける前記通信を再開した後の前記チャネル状態に基づいて前記ＣＱＩを報告すべきかを決定すること、
を備える、請求項１に記載の方法。
【請求項３】
前記第１のＲＡＴの前記中断の前の前記チャネル状態に基づいて前記ＣＱＩを報告することは、前記第１のＲＡＴにおける前記通信を中断する前の時間期間にわたって平均化された前記ＣＱＩを決定することを備える、請求項１に記載の方法。
【請求項４】
前記第１のＲＡＴにおける前記通信を再開した後の前記チャネル状態に基づいて前記ＣＱＩを報告することは、前記第１のＲＡＴにおける前記通信を再開した後の実質的に瞬間の時点における前記ＣＱＩを決定することを備える、請求項１に記載の方法。
【請求項５】
前記第１のＲＡＴにおける前記通信を再開した後の前記チャネル状態に基づいて前記ＣＱＩを報告することは、通信を中断するより前のＣＱＩ平均を決定するために使用された時間期間とは異なる時間期間にわたって平均化された前記ＣＱＩを決定することを備える、請求項１に記載の方法。
【請求項６】
前記ドップラー推定値の値と中断の持続時間の値との組合せに基づいて前記ＣＱＩを報告することをさらに備える、請求項１に記載の方法。
【請求項７】
前記ドップラー推定値の値および中断の前記持続時間の前記値は、前記第１のＲＡＴの中断の前記持続時間、前記ＵＥが前記ＣＱＩを報告した後にリソーススケジューリング情報を受信するのにかかる時間、またはそれらの組合せに少なくとも基づいて設定される、請求項６に記載の方法。
【請求項８】
前記ドップラー推定値に基づいて前記決定することは、前記ドップラー推定値を前記ドップラー推定値についての下限しきい値（ＴＨDoppler_LOW）または前記ドップラー推定値についての上限しきい値（ＴＨDoppler_HIGH）のうちの少なくとも１つと比較することを備える、請求項１に記載の方法。
【請求項９】
前記第１のＲＡＴにおける前記通信を再開した後の前記チャネル状態に基づいて前記ＣＱＩを報告することは、前記ドップラー推定値の前記値が（ＴＨDoppler_LOW）よりも小さい場合、前記第１のＲＡＴにおける前記通信を再開した後のＣＱＩフィルタ状態を、通信を中断する前に使用された前記ＣＱＩフィルタ状態とは異なるように更新することを備える、請求項８に記載の方法。
【請求項１０】
前記ＣＱＩフィルタ状態を更新することは、前記第１のＲＡＴにおける前記通信を再開した後の実質的に瞬間の時点におけるＣＱＩを決定すること、または通信を中断するより前のＣＱＩ平均を決定するために使用された時間期間とは異なる時間期間にわたって平均化されたＣＱＩを決定することを備える、請求項９に記載の方法。
【請求項１１】
ドップラー推定値に基づいて決定することは、前記ドップラー推定値を、前記ドップラー推定値についての下限しきい値（ＴＨDoppler_LOW）または前記ドップラー推定値についての上限しきい値（ＴＨDoppler_HIGH）のうちの少なくとも１つと比較することを備える、請求項２に記載の方法。
【請求項１２】
前記決定することは、前記第１のＲＡＴの中断の前記持続時間の前記値を前記中断時間についての１つまたは複数のしきい値と比較することをさらに備える、請求項１１に記載の方法。
【請求項１３】
前記第１のＲＡＴの中断の前記持続時間の前記値を前記中断時間についての１つまたは複数のしきい値と比較することは、前記第１のＲＡＴの中断の前記持続時間の前記値を、前記中断時間についての下限しきい値（ＴｈST_LOW）、前記中断時間についての中間しきい値（ＴｈST_MID）または前記中断時間についての上限しきい値（ＴｈST_HIGH）のうちの少なくとも１つと比較することを備える、請求項１２に記載の方法。
【請求項１４】
前記第１のＲＡＴにおける前記通信を再開した後の前記チャネル状態に基づいて前記ＣＱＩを報告することは、中断の前記持続時間の前記値が前記中断時間についての上限しきい値（ＴｈST_HIGH）よりも大きい場合、前記第１のＲＡＴにおける前記通信を再開した後にＣＱＩフィルタ状態を更新することを備える、請求項１２に記載の方法。
【請求項１５】
前記第１のＲＡＴにおける通信を中断するより前の前記チャネル状態に基づいて前記ＣＱＩを報告することは、前記ドップラー推定値の前記値が前記中断時間についての上限しきい値（ＴＨDoppler_HIGH）よりも大きく、中断の前記持続時間の前記値が前記中断時間についての上限しきい値（ＴｈST_HIGH）よりも小さい場合、前記第１のＲＡＴの通信を中断する前に使用されたＣＱＩフィルタ状態と同じＣＱＩフィルタ状態を使用することを備える、請求項１２に記載の方法。
【請求項１６】
前記第１のＲＡＴの通信を中断する前に使用されたＣＱＩフィルタ状態と同じ前記ＣＱＩフィルタ状態を使用することは、前記第１のＲＡＴにおける前記通信を中断する前の時間期間にわたって平均化されたＣＱＩを決定することを備える、請求項１５に記載の方法。
【請求項１７】
前記第１のＲＡＴは第３世代パートナーシッププロジェクト（３ＧＰＰ）ロングタームエボリューション（ＬＴＥ）を備える、請求項１に記載の方法。
【請求項１８】
ユーザ機器（ＵＥ）によって実行されるワイヤレス通信の装置であって、
第２の無線アクセス技術（ＲＡＴ）にアクセスするために第１のＲＡＴにおける通信を中断する手段と、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定する手段と、
を備える、装置。
【請求項１９】
決定する前記手段は、
前記通信を中断する前からの前記ドップラー推定値と前記第１のＲＡＴの中断の持続時間とに基づいて、前記第１のＲＡＴの前記中断の前の前記チャネル状態に基づいて前記ＣＱＩを報告すべきか、または前記第１のＲＡＴにおける前記通信を再開した後の前記チャネル状態に基づいて前記ＣＱＩを報告すべきかを決定するように構成された、請求項１８に記載の装置。
【請求項２０】
前記第１のＲＡＴの前記中断の前の前記チャネル状態に基づいて前記ＣＱＩを報告する手段をさらに備える、請求項１８に記載の装置。
【請求項２１】
前記第１のＲＡＴの前記中断の前の前記チャネル状態に基づいて前記ＣＱＩを報告する前記手段は、前記第１のＲＡＴにおける前記通信を中断する前の時間期間にわたって平均化された前記ＣＱＩを決定するように構成された、請求項２０に記載の装置。
【請求項２２】
前記第１のＲＡＴにおける前記通信を再開した後の前記チャネル状態に基づいて前記ＣＱＩを報告する手段をさらに備える、請求項１８に記載の装置。
【請求項２３】
前記第１のＲＡＴにおける前記通信を再開した後の前記チャネル状態に基づいて前記ＣＱＩを報告する前記手段は、前記第１のＲＡＴにおける前記通信を再開した後の実質的に瞬間の時点における前記ＣＱＩを決定するように構成された、請求項２２に記載の装置。
【請求項２４】
前記第１のＲＡＴにおける前記通信を再開した後の前記チャネル状態に基づいて前記ＣＱＩを報告する前記手段は、通信を中断するより前のＣＱＩ平均を決定するために使用された時間期間とは異なる時間期間にわたって平均化された前記ＣＱＩを決定するように構成された、請求項２２に記載の装置。
【請求項２５】
前記ドップラー推定値の値と中断の持続時間の値との組合せに基づいて前記ＣＱＩを報告する手段をさらに備える、請求項１８に記載の装置。
【請求項２６】
前記ドップラー推定値の前記値および中断の前記持続時間の前記値は、前記第１のＲＡＴの中断の前記持続時間、前記ＵＥが前記ＣＱＩを報告した後にリソーススケジューリング情報を受信するのにかかる時間、またはそれらの組合せに少なくとも基づいて設定される、請求項２５に記載の装置。
【請求項２７】
前記ドップラー推定値に基づいて決定する前記手段は、前記ドップラー推定値を前記ドップラー推定値についての下限しきい値（ＴＨDoppler_LOW）または前記ドップラー推定値についての上限しきい値（ＴＨDoppler_HIGH）のうちの少なくとも１つと比較するように構成された、請求項１８に記載の装置。
【請求項２８】
前記第１のＲＡＴにおける前記通信を再開した後の前記チャネル状態に基づいて前記ＣＱＩを報告する手段
をさらに備える、請求項２７に記載の装置。
【請求項２９】
前記第１のＲＡＴにおける前記通信を再開した後の前記チャネル状態に基づいて前記ＣＱＩを報告する前記手段は、前記ドップラー推定値の前記値が（ＴＨDoppler_LOW）よりも小さい場合、前記第１のＲＡＴにおける前記通信を再開した後のＣＱＩフィルタ状態を、通信を中断する前に使用された前記ＣＱＩフィルタ状態とは異なるように更新するように構成された、請求項２８に記載の装置。
【請求項３０】
前記ＣＱＩフィルタ状態を更新することは、前記第１のＲＡＴにおける前記通信を再開した後の実質的に瞬間の時点におけるＣＱＩを決定すること、または通信を中断するより前のＣＱＩ平均を決定するために使用された時間期間とは異なる時間期間にわたって平均化されたＣＱＩを決定することを備える、請求項２９に記載の装置。
【請求項３１】
ドップラー推定値に基づいて決定する前記手段は、前記ドップラー推定値を、前記ドップラー推定値についての下限しきい値（ＴＨDoppler_LOW）または前記ドップラー推定値についての上限しきい値（ＴＨDoppler_HIGH）のうちの少なくとも１つと比較するように構成された、請求項１９に記載の装置。
【請求項３２】
決定する前記手段は、前記第１のＲＡＴの中断の前記持続時間の前記値を前記中断時間についての１つまたは複数のしきい値と比較するようにさらに構成された、請求項３１に記載の装置。
【請求項３３】
前記第１のＲＡＴの中断の前記持続時間の前記値を前記中断時間についての１つまたは複数のしきい値と比較することは、前記第１のＲＡＴの中断の前記持続時間の前記値を、前記中断時間についての下限しきい値（ＴｈST_LOW）、前記中断時間についての中間しきい値（ＴｈST_MID）または前記中断時間についての上限しきい値（ＴｈST_HIGH）のうちの少なくとも１つと比較することを備える、請求項３２に記載の装置。
【請求項３４】
前記第１のＲＡＴにおける前記通信を再開した後の前記チャネル状態に基づいて前記ＣＱＩを報告する手段
をさらに備える、請求項３２に記載の装置。
【請求項３５】
前記第１のＲＡＴにおける前記通信を再開した後の前記チャネル状態に基づいて前記ＣＱＩを報告する前記手段は、中断の前記持続時間の前記値が前記中断時間についての上限しきい値（ＴｈST_HIGH）よりも大きい場合、前記第１のＲＡＴにおける前記通信を再開した後にＣＱＩフィルタ状態を更新するように構成された、請求項３４に記載の装置。
【請求項３６】
前記第１のＲＡＴにおける通信を中断するより前の前記チャネル状態に基づいて前記ＣＱＩを報告するための手段
をさらに備える、請求項３２に記載の装置。
【請求項３７】
前記第１のＲＡＴにおける通信を中断するより前の前記チャネル状態に基づいて前記ＣＱＩを報告する前記手段は、前記ドップラー推定値の前記値が前記中断時間についての上限しきい値（ＴＨDoppler_HIGH）よりも大きく、中断の前記持続時間の前記値が前記中断時間についての上限しきい値（ＴｈST_HIGH）よりも小さい場合、前記第１のＲＡＴの通信を中断する前に使用されたＣＱＩフィルタ状態と同じＣＱＩフィルタ状態を使用するように構成された、請求項３６に記載の装置。
【請求項３８】
前記第１のＲＡＴの通信を中断する前に使用されたＣＱＩフィルタ状態と同じ前記ＣＱＩフィルタ状態を使用することは、前記第１のＲＡＴにおける前記通信を中断する前の時間期間にわたって平均化されたＣＱＩを決定することを備える、請求項３７に記載の装置。
【請求項３９】
前記第１のＲＡＴが第３世代パートナーシッププロジェクト（３ＧＰＰ）ロングタームエボリューション（ＬＴＥ）を備える、請求項１８に記載の装置。
【請求項４０】
ユーザ機器（ＵＥ）によって実行されるワイヤレス通信のための装置であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を行うように構成された少なくとも１つのプロセッサと、
前記少なくとも１つのプロセッサに結合されたメモリと、
を備える、装置。
【請求項４１】
ユーザ機器（ＵＥ）によって実行されるワイヤレス通信のためのコンピュータプログラム製品であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を行うためのコードを備えるコンピュータ可読媒体
を備える、コンピュータプログラム製品。
【請求項４２】
ユーザ機器（ＵＥ）によって実行されるワイヤレス通信の方法であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を備える、方法。
【請求項４３】
決定することは、前記通信を中断する前から取得された情報と前記第１のＲＡＴの中断の持続時間とに基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することを備える、請求項４２に記載の方法。
【請求項４４】
ユーザ機器（ＵＥ）によって実行されるワイヤレス通信の装置であって、
第２の無線アクセス技術（ＲＡＴ）にアクセスするために第１のＲＡＴにおける通信を中断する手段と、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定する手段と、
を備える、装置。
【請求項４５】
決定する前記手段は、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定するように構成された、請求項４４に記載の装置。
【請求項４６】
ユーザ機器（ＵＥ）によって実行されるワイヤレス通信のための装置であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を行うように構成された少なくとも１つのプロセッサと、
前記少なくとも１つのプロセッサに結合されたメモリと、
を備える、装置。
【請求項４７】
ユーザ機器（ＵＥ）によって実行されるワイヤレス通信のためのコンピュータプログラム製品であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を行うためのコードを備えるコンピュータ可読媒体
を備える、コンピュータプログラム製品。
【手続補正２】
【補正対象書類名】明細書
【補正対象項目名】００７６
【補正方法】変更
【補正の内容】
【００７６】
[0087]したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［１］  ユーザ機器（ＵＥ）によって実行されるワイヤレス通信の方法であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を備える、方法。
［２］  前記決定することは、
前記通信を中断する前からの前記ドップラー推定値と前記第１のＲＡＴの中断の持続時間とに基づいて、前記第１のＲＡＴの前記中断の前の前記チャネル状態に基づいて前記ＣＱＩを報告すべきか、または前記第１のＲＡＴにおける前記通信を再開した後の前記チャネル状態に基づいて前記ＣＱＩを報告すべきかを決定すること、
を備える、［１］に記載の方法。
［３］  前記第１のＲＡＴの前記中断の前の前記チャネル状態に基づいて前記ＣＱＩを報告することをさらに備える、［１］に記載の方法。
［４］  前記第１のＲＡＴの前記中断の前の前記チャネル状態に基づいて前記ＣＱＩを報告することは、前記第１のＲＡＴにおける前記通信を中断する前の時間期間にわたって平均化された前記ＣＱＩを決定することを備える、［３］に記載の方法。
［５］  前記第１のＲＡＴにおける前記通信を再開した後の前記チャネル状態に基づいて前記ＣＱＩを報告することをさらに備える、［１］に記載の方法。
［６］  前記第１のＲＡＴにおける前記通信を再開した後の前記チャネル状態に基づいて前記ＣＱＩを報告することは、前記第１のＲＡＴにおける前記通信を再開した後の実質的に瞬間の時点における前記ＣＱＩを決定することを備える、［５］に記載の方法。
［７］  前記第１のＲＡＴにおける前記通信を再開した後の前記チャネル状態に基づいて前記ＣＱＩを報告することは、通信を中断するより前のＣＱＩ平均を決定するために使用された時間期間とは異なる時間期間にわたって平均化された前記ＣＱＩを決定することを備える、［５］に記載の方法。
［８］  前記ドップラー推定値の値、中断の持続時間の値、またはそれらの組合せに基づいて前記ＣＱＩを報告することをさらに備える、［１］に記載の方法。
［９］  前記ドップラー推定値の値および中断の前記持続時間の前記値は、前記第１のＲＡＴの中断の前記持続時間、前記ＵＥが前記ＣＱＩを報告した後にリソーススケジューリング情報を受信するのにかかる時間、またはそれらの組合せに少なくとも基づいて設定される、［８］に記載の方法。
［１０］  前記ドップラー推定値に基づいて前記決定することは、前記ドップラー推定値を前記ドップラー推定値についての下限しきい値（ＴＨDoppler_LOW）または前記ドップラー推定値についての上限しきい値（ＴＨDoppler_HIGH）のうちの少なくとも１つと比較することを備える、［１］に記載の方法。
［１１］  前記第１のＲＡＴにおける前記通信を再開した後の前記チャネル状態に基づいて前記ＣＱＩを報告することをさらに備える、［１０］に記載の方法。
［１２］  前記第１のＲＡＴにおける前記通信を再開した後の前記チャネル状態に基づいて前記ＣＱＩを報告することは、前記ドップラー推定値の前記値が（ＴＨDoppler_LOW）よりも小さい場合、前記第１のＲＡＴにおける前記通信を再開した後のＣＱＩフィルタ状態を、通信を中断する前に使用された前記ＣＱＩフィルタ状態とは異なるように更新することを備える、［１１］に記載の方法。
［１３］  前記ＣＱＩフィルタ状態を更新することは、前記第１のＲＡＴにおける前記通信を再開した後の実質的に瞬間の時点におけるＣＱＩを決定すること、または通信を中断するより前のＣＱＩ平均を決定するために使用された時間期間とは異なる時間期間にわたって平均化されたＣＱＩを決定することを備える、［１２］に記載の方法。
［１４］  ドップラー推定値に基づいて決定することは、前記ドップラー推定値を、前記ドップラー推定値についての下限しきい値（ＴＨDoppler_LOW）または前記ドップラー推定値についての上限しきい値（ＴＨDoppler_HIGH）のうちの少なくとも１つと比較することを備える、［２］に記載の方法。
［１５］  前記決定することは、前記第１のＲＡＴの中断の前記持続時間の前記値を前記中断時間についての１つまたは複数のしきい値と比較することをさらに備える、［１４］に記載の方法。
［１６］  前記第１のＲＡＴの中断の前記持続時間の前記値を前記中断時間についての１つまたは複数のしきい値と比較することは、前記第１のＲＡＴの中断の前記持続時間の前記値を、前記中断時間についての下限しきい値（ＴｈST_LOW）、前記中断時間についての中間しきい値（ＴｈST_MID）または前記中断時間についての上限しきい値（ＴｈST_HIGH）のうちの少なくとも１つと比較することを備える、［１５］に記載の方法。
［１７］  前記第１のＲＡＴにおける前記通信を再開した後の前記チャネル状態に基づいて前記ＣＱＩを報告することをさらに備える、［１５］に記載の方法。
［１８］  前記第１のＲＡＴにおける前記通信を再開した後の前記チャネル状態に基づいて前記ＣＱＩを報告することは、中断の前記持続時間の前記値が前記中断時間についての上限しきい値（ＴｈST_HIGH）よりも大きい場合、前記第１のＲＡＴにおける前記通信を再開した後にＣＱＩフィルタ状態を更新することを備える、［１７］に記載の方法。
［１９］  前記第１のＲＡＴにおける通信を中断するより前の前記チャネル状態に基づいて前記ＣＱＩを報告することをさらに備える、［１５］に記載の方法。
［２０］  前記第１のＲＡＴにおける通信を中断するより前の前記チャネル状態に基づいて前記ＣＱＩを報告することは、前記ドップラー推定値の前記値が前記中断時間についての上限しきい値（ＴＨDoppler_HIGH）よりも大きく、中断の前記持続時間の前記値が前記中断時間についての上限しきい値（ＴｈST_HIGH）よりも小さい場合、前記第１のＲＡＴの通信を中断する前に使用されたＣＱＩフィルタ状態と同じＣＱＩフィルタ状態を使用することを備える、［１９］に記載の方法。
［２１］  前記第１のＲＡＴの通信を中断する前に使用されたＣＱＩフィルタ状態と同じ前記ＣＱＩフィルタ状態を使用することは、前記第１のＲＡＴにおける前記通信を中断する前の時間期間にわたって平均化されたＣＱＩを決定することを備える、［２０］に記載の方法。
［２２］  前記第１のＲＡＴは第３世代パートナーシッププロジェクト（３ＧＰＰ）ロングタームエボリューション（ＬＴＥ）を備える、請求項１に記載の方法。
［２３］  ユーザ機器（ＵＥ）によって実行されるワイヤレス通信の装置であって、
第２の無線アクセス技術（ＲＡＴ）にアクセスするために第１のＲＡＴにおける通信を中断する手段と、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定する手段と、
を備える、装置。
［２４］  決定する前記手段は、
前記通信を中断する前からの前記ドップラー推定値と前記第１のＲＡＴの中断の持続時間とに基づいて、前記第１のＲＡＴの前記中断の前の前記チャネル状態に基づいて前記ＣＱＩを報告すべきか、または前記第１のＲＡＴにおける前記通信を再開した後の前記チャネル状態に基づいて前記ＣＱＩを報告すべきかを決定するように構成された、［２３］に記載の装置。
［２５］  前記第１のＲＡＴの前記中断の前の前記チャネル状態に基づいて前記ＣＱＩを報告する手段をさらに備える、［２３］に記載の装置。
［２６］  前記第１のＲＡＴの前記中断の前の前記チャネル状態に基づいて前記ＣＱＩを報告する前記手段は、前記第１のＲＡＴにおける前記通信を中断する前の時間期間にわたって平均化された前記ＣＱＩを決定するように構成された、［２５］に記載の装置。
［２７］  前記第１のＲＡＴにおける前記通信を再開した後の前記チャネル状態に基づいて前記ＣＱＩを報告する手段をさらに備える、［２３］に記載の装置。
［２８］  前記第１のＲＡＴにおける前記通信を再開した後の前記チャネル状態に基づいて前記ＣＱＩを報告する前記手段は、前記第１のＲＡＴにおける前記通信を再開した後の実質的に瞬間の時点における前記ＣＱＩを決定するように構成された、［２７］に記載の装置。
［２９］  前記第１のＲＡＴにおける前記通信を再開した後の前記チャネル状態に基づいて前記ＣＱＩを報告する前記手段は、通信を中断するより前のＣＱＩ平均を決定するために使用された時間期間とは異なる時間期間にわたって平均化された前記ＣＱＩを決定するように構成された、［２７］に記載の装置。
［３０］  前記ドップラー推定値の値、中断の持続時間の値、またはそれらの組合せに基づいて前記ＣＱＩを報告する手段をさらに備える、［２３］に記載の装置。
［３１］  前記ドップラー推定値の前記値および中断の前記持続時間の前記値は、前記第１のＲＡＴの中断の前記持続時間、前記ＵＥが前記ＣＱＩを報告した後にリソーススケジューリング情報を受信するのにかかる時間、またはそれらの組合せに少なくとも基づいて設定される、［３０］に記載の装置。
［３２］  前記ドップラー推定値に基づいて決定する前記手段は、前記ドップラー推定値を前記ドップラー推定値についての下限しきい値（ＴＨDoppler_LOW）または前記ドップラー推定値についての上限しきい値（ＴＨDoppler_HIGH）のうちの少なくとも１つと比較するように構成された、［２３］に記載の装置。
［３３］  前記第１のＲＡＴにおける前記通信を再開した後の前記チャネル状態に基づいて前記ＣＱＩを報告する手段
をさらに備える、［３２］に記載の装置。
［３４］  前記第１のＲＡＴにおける前記通信を再開した後の前記チャネル状態に基づいて前記ＣＱＩを報告する前記手段は、前記ドップラー推定値の前記値が（ＴＨDoppler_LOW）よりも小さい場合、前記第１のＲＡＴにおける前記通信を再開した後のＣＱＩフィルタ状態を、通信を中断する前に使用された前記ＣＱＩフィルタ状態とは異なるように更新するように構成された、［３３］に記載の装置。
［３５］  前記ＣＱＩフィルタ状態を更新することは、前記第１のＲＡＴにおける前記通信を再開した後の実質的に瞬間の時点におけるＣＱＩを決定すること、または通信を中断するより前のＣＱＩ平均を決定するために使用された時間期間とは異なる時間期間にわたって平均化されたＣＱＩを決定することを備える、［３４］に記載の装置。
［３６］  ドップラー推定値に基づいて決定する前記手段は、前記ドップラー推定値を、前記ドップラー推定値についての下限しきい値（ＴＨDoppler_LOW）または前記ドップラー推定値についての上限しきい値（ＴＨDoppler_HIGH）のうちの少なくとも１つと比較するように構成された、［２４］に記載の装置。
［３７］  決定する前記手段は、前記第１のＲＡＴの中断の前記持続時間の前記値を前記中断時間についての１つまたは複数のしきい値と比較するようにさらに構成された、［３６］に記載の装置。
［３８］  前記第１のＲＡＴの中断の前記持続時間の前記値を前記中断時間についての１つまたは複数のしきい値と比較することは、前記第１のＲＡＴの中断の前記持続時間の前記値を、前記中断時間についての下限しきい値（ＴｈST_LOW）、前記中断時間についての中間しきい値（ＴｈST_MID）または前記中断時間についての上限しきい値（ＴｈST_HIGH）のうちの少なくとも１つと比較することを備える、［３７］に記載の装置。
［３９］  前記第１のＲＡＴにおける前記通信を再開した後の前記チャネル状態に基づいて前記ＣＱＩを報告する手段
をさらに備える、［３７］に記載の装置。
［４０］  前記第１のＲＡＴにおける前記通信を再開した後の前記チャネル状態に基づいて前記ＣＱＩを報告する前記手段は、中断の前記持続時間の前記値が前記中断時間についての上限しきい値（ＴｈST_HIGH）よりも大きい場合、前記第１のＲＡＴにおける前記通信を再開した後にＣＱＩフィルタ状態を更新するように構成された、［３９］に記載の装置。
［４１］  前記第１のＲＡＴにおける通信を中断するより前の前記チャネル状態に基づいて前記ＣＱＩを報告するための手段
をさらに備える、［３７］に記載の装置。
［４２］  前記第１のＲＡＴにおける通信を中断するより前の前記チャネル状態に基づいて前記ＣＱＩを報告する前記手段は、前記ドップラー推定値の前記値が前記中断時間についての上限しきい値（ＴＨDoppler_HIGH）よりも大きく、中断の前記持続時間の前記値が前記中断時間についての上限しきい値（ＴｈST_HIGH）よりも小さい場合、前記第１のＲＡＴの通信を中断する前に使用されたＣＱＩフィルタ状態と同じＣＱＩフィルタ状態を使用するように構成された、［４１］に記載の装置。
［４３］  前記第１のＲＡＴの通信を中断する前に使用されたＣＱＩフィルタ状態と同じ前記ＣＱＩフィルタ状態を使用することは、前記第１のＲＡＴにおける前記通信を中断する前の時間期間にわたって平均化されたＣＱＩを決定することを備える、［４２］に記載の装置。
［４４］  前記第１のＲＡＴが第３世代パートナーシッププロジェクト（３ＧＰＰ）ロングタームエボリューション（ＬＴＥ）を備える、［２３］に記載の装置。
［４５］  ユーザ機器（ＵＥ）によって実行されるワイヤレス通信のための装置であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を行うように構成された少なくとも１つのプロセッサと、
前記少なくとも１つのプロセッサに結合されたメモリと、
を備える、装置。
［４６］  ユーザ機器（ＵＥ）によって実行されるワイヤレス通信のためのコンピュータプログラム製品であって、
第２の無線アクセス技術（ＲＡＴ）にアクセスするために第１のＲＡＴにおける通信を中断することと、
前記通信を中断する前からのドップラー推定値に基づいて、前記第１のＲＡＴの前記中断の前のチャネル状態に基づいてチャネル品質インジケータ（ＣＱＩ）を報告すべきか、または前記第１のＲＡＴにおける前記通信を再開した後のチャネル状態に基づいて前記ＣＱＩを報告すべきかを決定することと、
を行うためのコードを備えるコンピュータ可読媒体
を備える、コンピュータプログラム製品。
［４７］  ユーザ機器（ＵＥ）によって実行されるワイヤレス通信の方法であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を備える、方法。
［４８］  決定することは、前記通信を中断する前から取得された情報と前記第１のＲＡＴの中断の持続時間とに基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することを備える、［４７］に記載の方法。
［４９］  ユーザ機器（ＵＥ）によって実行されるワイヤレス通信の装置であって、
第２の無線アクセス技術（ＲＡＴ）にアクセスするために第１のＲＡＴにおける通信を中断する手段と、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定する手段と、
を備える、装置。
［５０］  決定する前記手段は、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定するように構成された、［４９］に記載の装置。
［５１］  ユーザ機器（ＵＥ）によって実行されるワイヤレス通信のための装置であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を行うように構成された少なくとも１つのプロセッサと、
前記少なくとも１つのプロセッサに結合されたメモリと、
を備える、装置。
［５２］  ユーザ機器（ＵＥ）によって実行されるワイヤレス通信のためのコンピュータプログラム製品であって、
第２の無線アクセス技術（ＲＡＴ）にアクセスするために第１のＲＡＴにおける通信を中断することと、
前記通信を中断する前から取得された情報に基づいて、前記第１のＲＡＴの前記中断の前に取得された前記情報に基づいてドップラー推定、チャネル推定、自動利得制御、周波数トラッキングループ、ＤＣ推定、ＳＮＲ推定または時間トラッキングループのうちの少なくとも１つを決定すべきか、または前記第１のＲＡＴにおける前記通信を再開した後に取得された情報に基づいてドップラー推定、チャネル推定、自動利得制御、周波数トラッキングループ、ＤＣ推定、ＳＮＲ推定または時間トラッキングループのうちの前記少なくとも１つを決定すべきかを決定することと、
を行うためのコードを備えるコンピュータ可読媒体
を備える、コンピュータプログラム製品。
【国際調査報告】
2015516760.tif 000016
2015516760.tif 000017
2015516760.tif 000018
2015516760.tif 000019
2015516760.tif 000020